(57)【要約】      （修正有）【課題】強度的に劣る枠部を利用することなく、立看板を簡易に設置保持することができ、また、看板設置場所の状況に合わせた保持手法にて立看板を設置保持することができ、そして立看板を持ち運ぶときには閉脚状態を保つための結束手段として利用することが可能な立看板用の保持装置を提供する。【解決手段】立掛け枠部Ｂ１に脚枠部Ｂ２を回動可能に取り付けて、開脚・閉脚自在に構成されている立看板Ｂの両側支柱枠ｂ１の上端開口部５に、上側掛止め部材４を介して係脱自在に掛止させて取り付けられる略Ｙ字形状の張り部材１を、看板設置場所である道路脇のグレーチングや側溝蓋Ｃの裏面に下側掛止め部材３を介して係脱自在に掛止させ、この状態でを張架させるように張り部材１の長さを調整するとともにロック部材２により張架させた調整長さに固定する。【選択図】図１
0003152677.tif 000002
【実用新案登録請求の範囲】
【請求項１】
起立状態に立てられる立掛け枠部と、
この立掛け枠部の両側支柱枠に回動可能に取り付けられる脚枠部と、を備えて、開脚・閉脚自在に構成されている立看板を看板設置場所に保持する保持装置であって、
前記立掛け枠部の前記両側支柱枠のそれぞれの上端側に取り付けられる所望の長さを有する張り部材と、
この張り部材の途中に装着されて、該張り部材の長さを調整自在に固定するロック部材と、
前記張り部材を前記看板設置場所の被固定部に係脱自在に掛止させる下側掛止め部材と、を備え、
前記立掛け枠部と前記脚枠部を開脚させて立看板を起立させた状態において、前記両側支柱枠のそれぞれ上端側を、前記張り部材で前記看板設置場所の前記被固定部に連結固定するように構成されていることを特徴とする立看板用の保持装置。
【請求項２】
前記張り部材を、前記立掛け枠部の前記両側支柱枠のそれぞれの上端開口部に係脱自在に掛止させる上側掛止め部材をさらに備え、
前記張り部材は、ロープまたはベルトからなり、前記両側支柱枠のそれぞれの前記上端開口部に前記上側掛止め部材を介してそれぞれ掛止させる二股に分かれている上半張り部側と、
この上半張り部側に連設されて前記被固定部に前記下側掛止め部材を介して掛止させる下半張り部側と、から略Ｙ字形状に形成され、
前記下半張り部側を前記下側掛止め部材に巻き回して上方に折返し、その折返し開放端側を、前記ロック部材によって前記下半張り部側の途中部位にループ状を成すように連結するとともに該下半張り部側の長さを調整した後に固定するように形成されていることを特徴とする請求項１に記載の立看板用の保持装置。
【請求項３】
前記ロック部材は、ケース部に、ロープからなる前記張り部材の前記下半張り部側を挿通させる第１の通孔と、この第１の通孔から挿通引き出されて前記下側掛止め部材に巻き回されて上方に折り返される前記下半張り部の折返し開放端側を挿通させる第２の通孔と、を略平行で、かつ、一部を連通させた状態で備え、
さらに、前記第１，第２の両通孔の前記連通部内に、該第１，第２の両通孔の孔方向に対して直交する方向において回転可能に軸支されて前記第１，第２の両通孔にそれぞれ出没自在に臨ませるロープ固定爪を円周略対称位置に有する回転体を備え、この回転体の一端側に固着されて該回転体を回動させる操作レバーを前記ケース部の外側に備えてなり、
前記操作レバーによる前記回転体の回動により前記第１，第２の両通孔に前記ロープ固定爪をそれぞれ臨ませて、該第１，第２の両通孔にそれぞれ移動可能に挿通されている前記下半張り部側を移動不能に固定するように形成されていることを特徴とする請求項１または請求項２に記載の立看板用の保持装置。
【請求項４】
前記被固定部が、前記看板設置場所である道路脇のグレーチングや側溝蓋、または、前記看板設置場所に置かれる重しであり、
前記下側掛止め部材が、前記グレーチングの網目や前記側溝蓋の凹欠開口部から挿入させてその裏面に当接させる側溝用のＴ形金具または前記重しに結び紐を介して掛止させる重し用のＳ形金具であることを特徴とする請求項１または請求項２に記載の立看板用の保持装置。
【請求項５】
請求項１から請求項４のいずれかに記載の立看板用の保持装置において、
前記張り部材の前記下半張り部側に、前記立掛け枠部と前記脚枠部を閉脚させた前記立看板の折畳み状態において、該立看板の下辺縁部に係脱自在に掛止させて前記張り部材との協働で前記脚枠部を開脚不能に保持する結束部材を備えていることを特徴とする立看板用の保持装置。
【考案の詳細な説明】
【技術分野】
【０００１】
本考案は、道路や建設などの工事現場、その他の看板設置場所に設置されて使用される立看板、特に、表示板(標示板)が取り付けて起立状態に立てられる立掛け枠部に脚枠部を回動可能に取り付けて、開脚・閉脚自在に構成されている立看板を工事現場などの看板設置場所に設置保持する保持装置に関する。
【背景技術】
【０００２】
道路や建設などの工事現場には、工事中、工事期間などを表示（標示）した立看板が設置されている。この立看板は、表示板が取り付けて起立状態に立てられる立掛け枠部と、この立掛け枠部の両側の支柱枠に回動可能に取り付けられる脚枠部とを備え、開脚・閉脚自在（展開・折畳み自在）に構成されている。
【０００３】
ところで、この種の立看板は、前記した比較的に単純な枠組み構造で、重量がないために、強風（風圧）などによって転倒、移動、飛散するおそれがある。
【０００４】
そこで、立看板が強風などによって転倒、移動、飛散しないように、重りを利用して立看板を設置保持する保持装置（特許文献１および特許文献２などを参照）、また、道路脇の側溝(Ｕ字溝)のグレーチングや側溝蓋の凹欠開口部を利用して立看板を設置保持する保持装置（特許文献３などを参照）が知られている。
【先行技術文献】
【特許文献】
【０００５】
【特許文献１】特開平０８−３６３６４号公報（段落番号０００４、０００５、および図２参照）
【特許文献２】特開２００６−２１５３７１号公報（段落番号００３５、および図１、図２参照）
【特許文献３】特開２００４−２１２８８１号公報（段落番号０００５から０００７、図２参照）
【考案の概要】
【考案が解決しようとする課題】
【０００６】
しかしながら、特許文献１および特許文献２に記載の従来技術では、立看板の立掛け枠部の両側支柱枠間に掛け渡されている連結枠（横枠）と、脚枠部の両側脚枠間に掛け渡されている連結枠（横枠）との上に、重し台を介して土のう袋やブロックを載せたり、或いは水タンクを載せるなどによって、それらの重量によって立看板が転倒しないように設置保持する構成であるために、連結枠が重みによって折れ曲がる。
つまり、この種の立看板は、持ち運びなどの取扱い性が配慮され、立掛け枠部、脚枠部が比較的に軽い金属製の角パイプなどを用いた枠組み構造にて形成されている。そのために、重量物である土のう袋、ブロック、水タンクなどの重みが、例えば、工事期間中において直接、長時間にわたり継続して連結枠に掛かることとなり、連結枠が重みよって折れ曲がったり、最悪の場合は、連結枠と両側支柱枠との溶接部が金属疲労を起し、連結枠が外れて立看板が短期間で破損するなどの問題の要因になっていた。
【０００７】
また、特許文献３に記載の従来技術では、バックルにより緊張調整可能とするストラップベルトの一端側を立掛け枠部の連結枠に掛け回し、そして他端側に連結還を介して備えたストッパ部を道路脇の側溝のグレーチングや側溝蓋の凹欠開口部の裏面に当接させることで、立看板を設置保持する構成であるために、前記の特許文献１および特許文献２のように、連結枠に直接、継続的に重み（応力）が掛からないものの、立看板が強風によって煽られた場合、ストラップベルトが掛け回されている連結枠に集中的に負荷が掛かることとなり、結局、連結枠が折れ曲がるなどの立看板が短期間で破損する要因になっていた。
【０００８】
そこで、本考案は、前記課題を解消するために創案されたものであり、荷重などの負荷応力に対して強度的に劣る連結枠などの横枠を利用することなく、立看板を簡易に設置保持することができること、また、看板設置場所の状況に合わせた保持手法にて立看板を設置保持することができること、そして立看板を持ち運ぶときには閉脚状態を保つための結束手段として利用することが可能な立看板用の保持装置を提供することにある。
【課題を解決するための手段】
【０００９】
前記課題を解決するために、本考案では、起立状態に立てられる立掛け枠部と、この立掛け枠部の両側支柱枠に回動可能に取り付けられる脚枠部と、を備え、開脚・閉脚自在に構成されている立看板を看板設置場所に保持する保持装置であって、
前記立掛け枠部の前記両側支柱枠のそれぞれの上半部側に取り付けられる所望長さの張り部材と、この張り部材の途中に装着され、該張り部材の長さが調整されるときにその調整長さにて前記張り部材を固定するロック部材と、前記張り部材を前記看板設置場所の被固定部に係脱自在に取り付ける下側掛止め部材とを備え、前記立掛け枠部と前記脚枠部を開脚させて立看板を起立させた状態において、前記両側支柱枠のそれぞれ上端側を、前記張り部材で看板設置場所の被固定部に連結固定するように構成されていることを特徴とする。
【００１０】
ここで、前記張り部材を、前記立掛け枠部の前記両側支柱枠の上端開口部に係脱自在に掛止させて取り付ける上側掛止め部材をさらに備え、そして、前記張り部材は、ロープまたはベルトからなり、前記両側支柱枠のそれぞれの上端開口部に前記上側掛止め部材を介して係脱自在に掛止させて取り付けられる二股に分かれている上半張り部側と、この上半張り部側に連設されて前記被固定部に前記下側掛止め部材を介して係脱自在に掛止させて取り付けられる下半張り部側とから略Ｙ字形状に形成されていることが好適なものとなる。
そして、前記下側掛止め部材が、前記グレーチングの網目や前記側溝蓋の凹欠開口部から挿入させてその裏面に当接させる側溝用のＴ形金具または前記重しに結び紐などを介して掛止させる重し用のＳ形金具であることが好適なものとなる。
【００１１】
また、本考案では、前記ロック部材は、ケース部に、ロープからなる前記張り部材の前記下半張り部側を挿通させる第１の通孔と、この第１の通孔から挿通引き出されて前記下側掛止め部材に巻き回されて上方に折り返される前記下半張り部の折返し開放端側を挿通させる第２の通孔と、を略平行で、かつ、一部を連通させた状態で備え、さらに、前記第１，第２の両通孔の前記連通部内に、該第１，第２の両通孔の孔方向に対して直交する方向において回転可能に軸支されて前記第１，第２の両通孔にそれぞれ出没自在に臨ませるロープ固定爪を円周略対称位置に有する回転体を備え、この回転体の一端側に固着されて該回転体を回動させる操作レバーを前記ケース部の外側に備えてなり、前記操作レバーによる前記回転体の回動により前記第１，第２の両通孔に前記ロープ固定爪をそれぞれ臨ませて、該第１，第２の両通孔にそれぞれ移動可能に挿通されている前記下半張り部側を移動不能に固定するように形成されていることを特徴とする。
【００１２】
また、本考案では、前記張り部材の前記下半張り部側に、前記立掛け枠部と前記脚枠部を閉脚させた前記立看板の折畳み状態において、該立看板の下辺縁部に係脱自在に掛止させて前記張り部材との協働で前記脚枠部を開脚不能に保持する結束部材を備えていることを特徴とする。
ここで、前記結束部材は、Ｌ形金具であることが好適なものとなる。
【考案の効果】
【００１３】
本考案の立看板用の保持装置によれば、ロック部材によって長さが調整自在で、固定可能とする張り部材を用い、立看板の立掛け枠部の両側支柱枠の上端側、特に、両側支柱枠の上端開口部を、看板設置場所である道路脇のグレーチングや側溝蓋、または、看板設置場所に置かれる土のう袋などの重しなどに下側掛止め部材によって係脱可能に連結固定して立看板を転倒、移動、飛散などしないように設置保持することができる。
つまり、従来技術のように、立看板が短期間で破損するおそれがある比較的に強度が劣る連結枠などの横枠を利用することなく、強度的に問題がない立看板の立掛け枠部の両側支柱枠の上半部側、特に、両側支柱枠の上端開口部（看板両肩）を利用して、立看板を看板設置場所に設置保持することができる。これにより、立看板が短期間で破損するなどの問題が解決される。
【００１４】
また、張り部材は、立掛け枠部の両側支柱枠の上端側に係脱自在に掛止させて取り付ける二股に分かれている上半張り部側と、看板設置場所の被固定部に係脱自在に掛止させて取り付ける下半張り部側とから略Ｙ字形状に形成されている。
これにより、工事現場などにおいて立看板を設置保持するときに、張り部材の上半張り部側を、両側支柱枠のそれぞれの上端開口部に上側掛止め部材によって掛止させ、下半張り部側を看板設置場所である道路脇のグレーチングや側溝蓋、または、看板設置場所に置かれる重しに掛止させた後に、張り部材に張架力（緊張力）を付与すべくその長さ調整するなどの簡易な作業によって立看板を設置保持することができる。
【００１５】
そして、張り部材の下半張り部側を看板設置場所の被固定部に係脱自在に掛止させて取り付ける下側掛止め部材として、側溝用のＴ形金具を用いることで、道路脇のグレーチングや側溝蓋を利用して立看板を設置保持、或いは、グレーチングや側溝蓋などが無い看板設置場所においては、重し用のＳ形金具を用いることで、土のう袋などの重しを利用して立看板を設置保持することができる。
つまり、看板設置場所の状況に合わせた設置手法によって立看板を、転倒、移動、飛散などしないように設置保持することができる。
【００１６】
また、立看板を工事現場へ持ち運ぶとき、立看板を撤去して持ち運ぶときなどにおいて、張り部材の下半張り部側に備えられている結束部材を立看板の下辺縁部に掛止させることで、立掛け枠部と脚枠部とを閉脚させた立看板の折畳み状態を、張り部材を利用して保持させることができる。つまり、立看板の搬送、持ち運び中などにおいて、脚枠部が不用意に開脚することを防ぐことができる。
【図面の簡単な説明】
【００１７】
【図１】本実施形態に係る保持装置を適用した立看板の設置状態の一例を示し、（ａ）は、縦断側面図であり、（ｂ）は、同背面図である。
【図２】保持装置の張り部材を示す正面図である。
【図３】保持部材のロック部材を示し、ａ）は、操作レバーを開き、張り部材が移動可能な状態を示す縦断面図であり、（ｂ）は、操作レバーを閉じ、張り部材が移動不能に固定（ロック）された状態を示す同縦断面図である。
【図４】保持部材の下側掛止め部材を示す斜視図である。
【図５】保持部材の上側掛止め部材を示す斜視図である。
【図６】本実施形態に係る保持装置を適用した立看板の他の設置状態の例を示し、（ａ）は、縦断側面図であり、（ｂ）は、保持装置の下側掛止め部材の他の実施形態を示す斜視図である。
【図７】本実施形態に係る保持装置を適用した立看板を持ち運ぶときの状態を示し、（ａ）は、折畳まれた立看板を横に倒した状態で示す背面図であり、（ｂ）は、結束金具を示す斜視図である。
【考案を実施するための形態】
【００１８】
以下、本考案の実施形態について、適宜図面を参照しながら詳細に説明する。
本実施形態に係る保持装置Ａが適用される立看板Ｂとしては、道路や建設などの工事現場における工事中、工事期間、工事予定などが表示、或いは、博覧会やイベント会場などにおける主催者、催し内容が表示、さらには、競技場、遊技場、学校などの公共施設におけるご案内、催し内容などが表示されて立掛け設置される立看板などを挙げることができる。
ここでは、道路などの工事現場において、図１に示すように、道路脇のグレーチングや側溝蓋Ｃなどを利用して立看板Ｂの転倒、移動、飛散などを防ぐ看板設置場所に適用される保持装置Ａを一例に挙げて説明する。
図１は、本実施形態に係る保持装置を適用した立看板の設置状態の一例を示す縦断側面図および同背面図である。
【００１９】
立看板Ｂは、周知の構造を呈している。例えば、図１に示すように、表示板（看板）ｂが取り付けられて起立状態に立てられる立掛け枠部Ｂ１の両側支柱枠ｂ１に、ヒンジ部材６を介して脚枠部Ｂ２の両側脚枠ｂ２の上端を回動可能に取り付けて開脚・閉脚自在に構成されている。
立掛け枠部Ｂ１の両側支柱枠ｂ１の上端は開口されており、この上端開口部５に保持装置Ａの後記する張り部材１をそれぞれ係脱自在に取り付け、図１に示すように、立掛け枠部Ｂ１の両側支柱枠ｂ１を看板設置場所である道路脇のグレーチングや側溝蓋Ｃに係脱自在に連結固定させることで、立看板Ｂを転倒、移動、飛散などしないように設置保持する。
【００２０】
保持装置Ａは、図１に示すように、張り部材１と、この張り部材１の途中に装着されるロック部材２と、張り部材１を道路脇のグレーチングや側溝蓋Ｃに係脱自在に掛止させて取り付ける下側掛止め部材３と、張り部材１を立掛け枠部Ｂ１の両側支柱枠ｂ１の上端開口部５に係脱自在に掛止させて取り付ける上側掛止め部材４とを備えて構成されている。
【００２１】
図２は、保持装置の張り部材を示す正面図である。ここでは、図１を適宜参照しながら説明する。
張り部材１は、立看板Ｂを風圧などから保持するのに必要とする強度を有する適宜の素材からなるロープを用いて所望の長さに形成されている。
この張り部材１は、図１および図２に示すように、立看板Ｂの立掛け枠部Ｂ１の両側支柱枠ｂ１のそれぞれの上端開口部に上側掛止め部材４を介してそれぞれ掛止させる二股に分かれている上半張り部１ａ側と、この上半張り部１ａ側の下端に連設されてグレーチングや側溝蓋Ｃに下側掛止め部材３を介して掛止させる下半張り部１ｂ側とから略Ｙ字形状に形成されている。
そして、張り部材１は、図２に示すように、上半張り部１ａの端部にループ部７を備えており、このループ部７に上側掛止め部４が取り付けられるようになっている。
【００２２】
図３は、保持装置のロック部材を示す縦断面図である。ここでは、図１を適宜参照しながら説明する。
ロック部材２は、図１に示すように、上側掛止め部材４と下側掛止め部材３を介して張り部材１を、立看板Ｂの立掛け枠部Ｂ１の両側支柱枠ｂ１の上端開口部５からグレーチングや側溝蓋Ｃに至るように掛け渡した状態で張り部材１に適度の張架力（緊張力）を与えるべく、該張り部材１の長さを調整した状態で、その調整長さにて張り部材１を固定（ロック）するためのものである。
【００２３】
このロック部材２は、図３に示すように、ケース部２ａに、張り部材１の下半張り部１ｂ側を挿通させる第１の通孔８と、この第１の通孔８から挿通引き出されて下側掛止め部材３に巻き回されて上方に折り返される下半張り部１ｂの折返し開放端１ｂ−１側を挿通させる第２の通孔９とを略平行に、一部連通させた関係で備えている。
そして、第１，第２の両通孔８，９の連通部１０内に、該第１，第２の両通孔８，９の孔方向に対して直交する方向において回転可能に軸支されて第１，第２の両通孔８，９にそれぞれ出没自在に臨ませるロープ固定爪１１を円周略対称位置に有する回転体２ｂを備え、かつ、この回転体２ｂの一端側に固着されて該回転体２ｂを回動させる操作レバー２ｃをケース部２ａの外側に備えた構成になっている。
【００２４】
ケース部２ａ、回転体２ｂ、操作レバー２ｃは、合成樹脂などの所望の成形材料を用いてそれぞれ成形されている。
ケース部２ａは、図３に示すように、第1の通孔８が開口されている側が長く、第２の通孔９が開口されている側が短い略Ｌ字形状（ブーツ形状）に形成されている。
これにより、張り部材１の下半張り部１ｂ側を、第１の通孔８に挿通させることで、ロック部材２を下半張り部１ｂ側に装着することができ、そして、第１の通孔８から挿通引き出された下半張り部１ｂ側を折返してその折返し開放端１ｂ−１側を第２の通孔９に挿通させることで、下側掛止め部材３が装着される折返しループ部１２が形成されるようにしている。
【００２５】
そして、ケース部２ａは、第１，第２の両通孔８，９に移動可能に挿通されている張り部材１を移動不能に固定（ロック）する方向（図３の（ａ）において反時計方向）に操作レバー２ｃを回動させたときに、操作レバー２ｃの後記する係止凸部１４を嵌め合せ係止させて操作レバー２ｃをその回動位置に係止させるための係止凹部１３を備えている。
【００２６】
回転体２ｂは、第１，第２の両通孔６，７側にと飛び出さず連通部１０内に収まる程度の直径を有する円盤状に形成されているとともに、その円周略対称位置にロープ固定爪１１をそれぞれ備えている。
これにより、操作レバー２ｃの操作で回転体２ｂを回動させてロープ固定爪１１を第１，第２の両通孔８，９に臨むように突出させることで（図３の(ａ)の状態から(ｂ)の状態）、ロープ固定爪８が張り部材１に食込んで該張り部材１を第１，第２の両通孔８，９に移動不能に固定するようにしている。
【００２７】
操作レバー２ｃは、ケース部１ａから外部に突出する回転体２ｂの回動軸部１５に接着や融着などによって一体に取り付けられて、張り部材１を第１，第２の両通孔８，９に固定する方向と、その固定を解除する方向に回転体２ｂを回動させるように形成されている。そして、この操作レバー２ｃにはケース部２ａの係止凹部１３に嵌め合せ係止させる係止凸部１４が設けられている。
【００２８】
図４は、保持装置の下側掛止め部材を示す斜視図である。ここでは、図１を適宜参照しながら説明する。
下側掛止め部材３は、金属や合成樹脂などからなる棒材を用いて形成されている。この下側掛止め部材３は、図１および図４に示すように、グレーチングの網目や側溝蓋Ｃの凹欠開口部１６から挿入させてその裏面に当接させる側溝用のＴ形金具であり、その垂直杆部３ａの上端には張り部材１の下半張り部１ｂ側を巻き回すように通す連結環１７を備えている。
なお、垂直杆部３ａの下端に固着されている水平杆部３ｂの長さＬ１は、図２に二点鎖線で示すように、グレーチングの網目や側溝蓋Ｃの凹欠開口部１３の開口長手方向の開口幅Ｌ２よりも短めに形成されている。
これにより、側溝蓋Ｃの凹欠開口部１３の開口長手方向に水平杆部３ｂ向けて（図４の状態）、該水平杆部３ｂを凹欠開口部１３から側溝蓋Ｃの裏面側に挿通させるとともに、９０度回転させることで、図１に示すように、水平杆部３ｂを側溝蓋Ｃの裏面に当接させて当該裏面に抜止不能に掛止させることができる。
【００２９】
図５は、保持装置の上側掛止め部材を示す斜視図である。ここでは、図１を適宜参照しながら説明する。
上側掛止め部材４は、金属や合成樹脂などからなる棒材を用いて形成されている。この上側掛止め部材４は、張り部材１の上半張り部１ａ側を結び付ける或いは図示例のように、上半張り部１ａに形成されているループ部７に通して取り付ける小径環部４ａと、立掛け枠部Ｂ１の両側支柱枠ｂ１の上端開口部５に引っ掛けるように取り付ける大径環部４ｂとから形成されているＳ形金具である。
【００３０】
［作用説明］
つぎに、以上のように構成されている本実施形態に係る保持装置Ａを適用した立看板Ｂの設置について簡単に説明する。ここでは、図１および図３を適宜参照しながら説明する。
保持装置Ａは、張り部材１の二股に分かれている上半張り部１ａ側にＳ形金具からなる上側掛止め部材４を、下半張り部１ｂ側にはロック部材２と、このロック部材２の第１，第２の両通孔８，９に下半張り部１ｂ側が挿通折返されることで形成される折返しループ部１２に側溝用のＴ形金具からなる下側掛止め部材３を、それぞれ予め取り付けた状態で立看板Ｂとともに道路などの工事現場に持ち込まれる。
【００３１】
そして、工事現場に持ち込まれた保持装置Ａは、図１に示すように、立掛け枠部Ｂ１と脚枠部Ｂ２とを開脚させて起立状態に設置される立看板Ｄに対し、先ず、立掛け枠部Ｂ１の両側支柱枠ｂ１の上端開口部５に、上側掛止め部材４の大径環部４ｂをそれぞれ引っ掛けて張り部材１の上半張り部１ａ側を取り付ける。
次いで、側溝蓋Ｃの凹欠開口部１６に、下側掛止め部材３を挿通させるとともに、水平杆部３ｂが側溝蓋Ｃの裏面側に位置するまで挿通させたところで９０度回し、水平杆部３ｂを側溝蓋Ｃの裏面に当接させる。この当接状態を保ちながら、ロック部材２の第２の通孔９から上方に挿通折返されている下半張り部１ｂの折返し開放端１ｂ−１側（図３において紙面左側のロープ）を上方に引っ張る。このとき、ロック部材２の操作レバー２ｃは、図３の（ａ）に示す開状態にあり、第１，第２の両通孔８，９に挿通されている下半張り部１ｂ側は移動可能（フリー）な状態になっている。
【００３２】
このようにして、立看板Ｂの立掛け枠部Ｂ１の両側支柱枠ｂ１の上端開口部５と側溝蓋Ｃの裏面（凹欠開口部１６）とにわたり掛け渡された張り部材１の長さを調整し、該張り部材１に適度の張架力（緊張力）を与えたところで、ロック部材２の操作レバー２ｃを、図３の（ａ）の開状態から（ｂ）の閉状態へと回動させるとともに、操作レバー２ｃの係止凸部１４をケース部１ａの係止凹部１３に嵌め合せ係止させる。すると、操作レバー２ｃと一体に回動する回転体２ｂのロープ固定爪１１が、図３の（ｂ）に示すように、第１，第２の両通孔８，９に突出し、下半張り部１ｂに食込んで、該下半張り部１ｂを第１，第２の両通孔８，９に移動不能に固定（ロック）する。
これにより、立看板Ｂの立掛け枠部Ｂ１の両側支柱枠ｂ１の上端開口部５（看板両肩）を、適度の張架力にて掛け渡された張り部材１によって側溝蓋Ｃの裏面に係脱自在に連結固定させた立看板Ｂの設置作業が終了となり、図１に示すように、立看板Ｂは、転倒、移動、飛散などしないように道路脇に設置保持される。
【００３３】
また、本実施形態に係る保持装置Ａは、グレーチングや側溝蓋Ｃなどの被固定部が無い看板設置場所において、立看板Ｂを風圧などにより転倒、移動、飛散しないように設置保持するために、前記した側溝用のＴ型金具からなる下側掛止め部材３のほかに、土のう袋などの重しＤを利用し、該重しＤの結び紐ｄに係脱自在に掛止させる下側掛止め部材１７をさらに備えている。
図６は、本実施形態に係る本考案の保持装置を適用した立看板の他の設置状態の例を示す縦断側面図および下側掛止部材の他の実施形態を示す斜視図である。
【００３４】
下側掛止め部材１７は、図６に示すように、張り部材１の下半張り部１ｂ側の折返しループ部１２に巻き回すように取り付ける小径環部１７ａと、重しＤの結び紐ｄに引っ掛けるように取り付ける大径環部１７ｂとから形成されている。つまり、この下側掛止め部材１７は、前記の側溝用のＴ形金具からなる上側掛止め部材４と略同じ形態に形成されている重し用のＳ形金具である。
【００３５】
このように、重し用のＳ形金具からなる下側掛止め部材１７を備えた保持装置Ａによれば、グレーチングや側溝蓋Ｃなどが無い場所、例えば、建設などの工事現場に入り口などにおいて、図６の（ａ）に示すように、開脚された立掛け枠部Ｂ１と脚枠部Ｂ２との間に置かれる重しＤの結び紐ｄに下側掛止め部材１７を引っ掛け、ロック部材２によって張り部材１の長さを調整して張り部材１に適度の張架力（緊張力）を与えて固定することで、立看板Ｂの立掛け枠部Ｂの両側支柱枠ｂ１の上端開口部５（看板両肩）を、張り部材１によって重しＤに連結固定させた状態で立看板Ｂを、転倒、移動、飛散などしないように設置保持することができる。
【００３６】
また、本実施形態に係る保持装置Ａは、立掛け枠部Ｂ１と脚枠部Ｂ２とを閉脚させた立看板Ｂの折畳み状態において、脚枠部Ｂ２が不用意に開脚することを張り部材１との協働で防ぐための結束部材１８をさらに備えている。
図７は、本実施形態に係る保持装置を適用した立看板を持ち運ぶときの状態を示す背面図および結束部材を示す斜視図である。
【００３７】
結束部材１８は、金属材や合成樹脂材などからなる帯板材を用いて、図７の（ｂ）に二点鎖線で示すように、脚枠部Ｂ２の連結枠ｂ５から立掛け枠部Ｂ１の連結枠ｂ４、そして表示板ｂに至る掛止幅Ｌ３を有する大きさに形成されているＬ形金具である。
また、結束部材１８は、張り部材１の下半張り部１ｂ側の折返しループ部１２に巻き回すように通して取り付けられる連結環１９を備えている。
【００３８】
このように、Ｌ形金具からなる結束部材を備えた保持装置Ａによれば、折畳まれた立看板Ｂを、図７の（ａ）に示すように、横に倒して持ち運ぶときに、張り部材１の下半張り部１ｂ側の折返しループ部９に備えられている結束部材を立看板Ｂの下辺縁部に掛止させることで、張り部材１との協働で脚枠部Ｂ２が不用意に開脚することを防ぐことができる。
【００３９】
なお、本考案の実施形態の具体的な構成は、前記した実施形態に限られるものではなく、請求項１から請求項５に記載の本考案の要旨を逸脱しない範囲で設計変更などがあっても本考案に含まれるものである。
例えば、立看板Ｂの両側支柱枠ｂ１の上端側に、取付け環部をそれぞれ備えて、この取付け環部に、張り部材１の二股に分かれている上半張り部１ａの上端を結び付けたり、或いはループ部７を引っ掛けるなどによって、張り部材１を両側支柱枠ｂ１の上端側に取り付けることができる。
【００４０】
また、張り部材１を２本準備し、立看板Ｂの立掛け枠部Ｂ１の両側支柱枠ｂ１の上端開口部５（看板両肩）から側溝蓋Ｃの凹欠開口部に２本の張り部材１をそれぞれ張り掛け渡して、立看板Ｂを転倒、移動、飛散などしないように設置保持することができる。この場合、２本の張り部材１にロック部材２をそれぞれ装着するなどによって容易に実施することができる。
【００４１】
さらに、張り部材１は、二股に分かれる上半張り部１ａ側用の張り部材と、下半張り部１ｂ側用の張り部材との２本を用い、下半張り部１ｂ側用の張り部材を上半張り部１ａ側用の張り部材に結び付けるなどによって略Ｙ字形状に形成することができる。
【００４２】
また、張り部材１を、ベルトその他の部材を用いて形成することができる。ベルトの場合、張り部材１の長さを調整して張り部材１に適度の張架力（緊張力）を与えるロック部材２として、バックルなどを用いることで容易に実施することができる。
また、上側掛止め部材４および下側掛止め部材１７を、棒材に限らず、帯板材を用いて形成することができる。
【符号の説明】
【００４３】
Ａ：保持装置、１：張り部材、１ａ：上半張り部、１ｂ：下半張り部、２：ロック部材、
２ａ：ケース部、２ｂ：回転体、２ｃ：操作レバー、３：下側掛止め部材（Ｔ型金具）、
４：上側掛止め部材（Ｓ形金具）、５：上端開口部、８：第１の通孔、９：第２の通孔、
１１：ロープ固定爪、１２：折返しループ部、１６：凹欠開口部、
１７：下側掛止め部材（Ｓ形金具）、１８：結束部材（Ｌ形金具）、Ｂ：立看板、
Ｂ１：立掛け枠部、Ｂ２：脚枠部、ｂ１：両側支柱枠、Ｃ：グレーチングや側溝蓋、
Ｄ：重し
【図１】
0003152677.tif 000003
【図２】
0003152677.tif 000004
【図３】
0003152677.tif 000005
【図４】
0003152677.tif 000006
【図５】
0003152677.tif 000007
【図６】
0003152677.tif 000008
【図７】
0003152677.tif 000009